(57)【要約】体外除細動器は、動き情報を生成するためのバンプセンサと、体外除細動器がローカルバンプイベントに従っているかどうかを判断するためのバンプ検出器とを含むことができる。体外除細動器は、２つの装置間の無線通信リンクを介してデータ信号符号化蘇生イベントデータを第２の体外除細動器に無線で送信することができる。
2013542814.tif 000002
【特許請求の範囲】
【請求項１】
蘇生イベントデータを送信体外除細動器とは区別された受信体外除細動器に送信するための前記送信体外除細動器であって、前記受信体外除細動器は、第１のハウジングと、第１の電荷を蓄える前記第１のハウジング内の第１のエネルギー貯蓄モジュールと、電極経由で前記第１の電荷を人まで誘導するための第１の除細動ポートと、第１の無線通信モジュールとを含み、前記送信体外除細動器は、
第２のハウジングと、
第２の電荷を蓄えた前記第２のハウジングの内部にある第２のエネルギー貯蓄モジュールと、
電極に結合されるように適応された第２の除細動ポートであって、それを経由して前記第２の電荷が前記人まで誘導される、第２の除細動ポートと、
前記第２の電荷が前記人まで誘導された時に関するイベントデータを記憶するように適応されたメモリと、
前記第２のハウジングの動き情報を生成するための、前記第２のハウジングの内部にあるバンプセンサと、
前記生成された動き情報に基づいて前記第２のハウジングがローカルバンプイベントに従ったかどうかを判断するように構成されたバンプ検出器と、
第２の無線通信モジュールと、
ローカルバンプイベントが発生したという判断に応答して、前記第２の通信モジュールが前記第１の通信モジュールとの無線通信リンクを確立するようにさせるように構成されたプロセッサと、を備え、
前記第２の通信モジュールは、前記通信リンクを介して前記蘇生イベントデータを符号化するデータ信号を送信するようにさらに適応されたこと
を特徴とする送信体外除細動器。
【請求項２】
ローカルバンプイベントは、前記動き情報が現在の閾値よりも大きい値を有する減速イベントとして解釈される場合に発生したと判断されることを特徴とする請求項１に記載の送信体外除細動器。
【請求項３】
ユーザインタフェースをさらに備え、
確認要求が、前記ローカルバンプイベントが発生したという判断に応答して前記ユーザインタフェース経由で出力され、前記通信リンクは、前記確認要求に応答してユーザがユーザ確認を受信することに応答して確立されること、
を特徴とする請求項１に記載の送信体外除細動器。
【請求項４】
前記通信リンクを確立することは、前記第２の通信モジュールに可用性信号を送信させることを含み、
前記データ信号は、前記可用性信号を受信する前記第１の通信モジュールに応答して、前記第２の通信モジュールによって送信されること
を特徴とする請求項１に記載の送信体外除細動器。
【請求項５】
前記可用性信号は、前記送信体外除細動器に関する識別情報を伝送することを特徴とする請求項４に記載の送信体外除細動器。
【請求項６】
前記通信リンクを確立することは、前記受信体外除細動器によって生成される準備信号を受信することを含むことを特徴とする請求項１に記載の送信体外除細動器。
【請求項７】
前記準備信号は、前記受信体外除細動器に関する識別情報を伝送することを特徴とする請求項６に記載の送信体外除細動器。
【請求項８】
前記通信リンクを確立することは、前記ローカルバンプイベントも前記受信体外除細動器に関与したバンプ確認を確立することを含み、
前記データ信号は、前記ローカルバンプ確認が確立される場合のみに送信されること
を特徴とする請求項１に記載の送信体外除細動器。
【請求項９】
前記通信リンクを確立することは、前記第２の通信モジュールに可用性信号を送信させることをさらに含み、
前記可用性信号は、前記ローカルバンプイベントの時間の後のプリセット時間遅延を用いて出力されること
を特徴とする請求項８に記載の送信体外除細動器。
【請求項１０】
前記通信リンクを確立することは、前記第２の通信モジュールに可用性信号を送信させることをさらに含み、
前記可用性信号は、前記ローカルバンプイベントの発生と関連付けられた時間表示を符号化すること
を特徴とする請求項８に記載の送信体外除細動器。
【請求項１１】
前記通信リンクを確立することは、前記第２の通信モジュールに可用性信号を送信させることをさらに含み、
前記可用性信号は、前記ローカルバンプイベントの後のプリセット時間内のランダム時間遅延で出力されること
をさらに含むことを特徴とする請求項８に記載の送信体外除細動器。
【請求項１２】
前記通信リンクを確立することは、前記受信体外除細動器によって生成される準備信号を受信することをさらに含み、
前記受信体外除細動器のリモートバンプイベントの時間は、前記準備信号から判断され、
前記バンプ確認は、前記リモートバンプイベントの時間と前記ローカルバンプイベントの時間とを比較することによって確立されること
を特徴とする請求項８に記載の送信体外除細動器。
【請求項１３】
前記時間比較に関し、前記準備信号は、前記リモートバンプイベントの時間の後のプリセット時間遅延を用いた推定出力であることを特徴とする請求項１２に記載の送信体外除細動器。
【請求項１４】
前記時間比較に関し、前記準備信号は、前記リモートバンプイベントの前記時間表示を符号化することを特徴とする請求項１２に記載の送信体外除細動器。
【請求項１５】
前記送信体外除細動器に対応したＧＰＳ座標を判断するように構成された全地球測位システム（ＧＰＳ）ユニットをさらに含み、
前記プロセッサは、前記第２の通信モジュールが前記ＧＰＳ座標に基づいて前記第１の通信モジュールとの無線通信リンクを確立しないようにするようにさらに構成されること
を特徴とする請求項１に記載の送信体外除細動器。
【請求項１６】
蘇生イベントデータを送信体外除細動器のメモリに記憶するステップと、
前記送信体外除細動器が、ローカルバンプイベントが発生したかどうかを判断するステップと、
前記ローカルバンプイベントが発生したという判断に応答して、前記送信体外除細動器が、前記受信体外除細動器との通信リンクを確立するステップと、
前記送信体外除細動器が、データ信号が前記通信リンクを介して前記受信体外除細動器に送信されるようにするステップであって、前記データ信号は、前記蘇生イベントデータを含む、ステップと
を備える方法。
【請求項１７】
前記送信体外除細動器が、ユーザ確認要求が前記送信体外除細動器のユーザインタフェースに出力されるようにするステップをさらに備えることを特徴とする請求項１６に記載の方法。
【請求項１８】
前記ユーザインタフェースに出力されたユーザ確認要求に応答して、ユーザからユーザ確認を受信するステップであって、前記送信体外除細動器が、前記ユーザ確認の受信に応答して前記通信リンクが確認されるようにする、ステップをさらに備えることを特徴とする請求項１７に記載の方法。
【請求項１９】
前記通信リンクを確立するステップは、前記送信体外除細動器が、前記受信体外除細動器から準備信号が受信されたかどうかを判断することを備えることを特徴とする請求項１６に記載の方法。
【請求項２０】
前記通信リンクを確立するステップは、前記送信体外除細動器が、前記準備信号が受信されたという判断に応答して、可用性信号が前記受信体外除細動器に送信されるようにすることをさらに備えることを特徴とする請求項１９に記載の方法。
【請求項２１】
前記通信リンクを確立するステップは、前記送信体外除細動器が前記準備信号を有効にすることをさらに備えることを特徴とする請求項１９に記載の方法。
【請求項２２】
前記通信リンクを確立するステップは、前記送信体外除細動器が、所定の時間遅延が経過したかどうかを判断することを備えることを特徴とする請求項１６に記載の方法。
【請求項２３】
前記通信リンクを確立するステップは、それぞれ、前記受信体外除細動器と前記送信体外除細動器に対応する全地球測位システム（ＧＰＳ）座標の第１のセットと第２のセットに基づいて、前記受信体外除細動器が所定の距離だけ前記送信体外除細動器から離れて配置されているかどうかを、前記送信体外除細動器が判断することを特徴とする請求項１６に記載の方法。
【請求項２４】
前記ローカルバンプイベントが発生したという判断に応答して、前記送信体外除細動器が、前記ローカルバンプイベントの時間を記録することをさらに備えることを特徴とする請求項１６に記載の方法。
【発明の詳細な説明】
【技術分野】
【０００１】
本発明は、一般には、除細動器などの医療装置の分野に関する。
【背景技術】
【０００２】
人間は、心臓を鼓動させて生命を維持している。通常の働きにおいて、心臓は、身体のそれぞれの部分に血液をポンプする。より詳細には、それぞれの心腔で、収縮および膨張が周期的に協調して行なわれることによって血液が一定の間隔でポンプされる。さらに具体的には、右心房は、脱酸素化血液を右心室に送る。右心室は、その血液を肺にポンプし、そこで酸素化された血液になり、そこから血液が左心房に戻る。左心房は、酸素化血液を左心室にポンプする。左心室は、その後、血液を送り出して、身体のさまざまな部分に循環させる。
【０００３】
心腔は、心臓の電気制御システムによりポンプする。より詳細には、洞房（ＳＡ）結節は、電気インパルスを生成し、そのインパルスは、さらに電気信号を生成する。このような信号はさらに、上述した心臓内のそれぞれの心腔の収縮を正常な順序で引き起こす。洞房（ＳＡ）結節によって作り出される電気パターンは、洞調律と呼ばれる。
【０００４】
しかしながら時には、心臓の機能不全による電気制御システムでは、心臓が不規則に鼓動するか、またはまったく鼓動しない恐れがある。その心調律は、一般に不整脈と呼ばれる。不整脈は、心臓内のＳＡ結節以外の場所からの電気的活動によって引き起こされる場合がある。不整脈のうちいくつかのタイプは、血流不足を招き、従って、身体のそれぞれの部分にポンプされる血液量が減少する。ある不整脈は、突然心停止（ＳＣＡ）を招くこともある。ＳＣＡにおいて、心臓は、血液を効率的にポンプすることができず、処置されなければ、死に至る可能性がある。実際、ＳＣＡは、米国だけでも年間２５万人以上の死者が出ると推定されている。さらに、ＳＣＡは、不整脈以外の病気に起因することもある。
【０００５】
ＳＣＡと関連する不整脈の１つのタイプは、心室細動（ＶＦ）として知られている。ＶＦは、心室が、通常に収縮する代わりに、急速で、協調されない動きになる機能不全のタイプである。心室細動が起きると、心臓は、生命維持に必要な臓器に十分な酸素を運ぶのに十分な血液をポンプしない。その人の病気は、急速に悪化し、そして一定時間内に好転しなければ、間もなく、例えば、１０分以内に死ぬであろう。
【０００６】
心室細動は、除細動器と呼ばれる救命装置を使用して好転する場合が多い。除細動器は、適切に適用されると、心臓に電気ショックを施すことができる。電気ショックは、ＶＦを終結させることができ、従って、心臓が血液のポンピングを開始する機会を与える。ＶＦが終結しない場合、電気ショックが繰り返され、エネルギーを増大して繰り返されることが多い。
【０００７】
除細動に対する課題は、ＶＦが発症してすぐに電気ショックを施さなければならないことである。それを行うにはあまり時間がない。即ち、ＶＦを患っている人の生存率は、除細動ショックの施行が遅れる１分当たり約１０パーセントずつ低下する。ＳＣＡ被害者の約１０分後の生存率は、平均２パーセントに満たない。
【０００８】
ＶＦが発症してすぐに除細動する課題は、いくつかの方法で達成される。まず、ＶＦまたは他の心不整脈のリスクが高いと見なされている一部の人に対して、植込み型除細動器（ＩＣＤ）を外科的に埋め込むことができる。ＩＣＤは、人の心臓を監視し、そして必要に応じて電気ショックを施すことができる。このため、ＩＣＤは、リスクの高い人が医療従事者によって常に監視される必要性を減らす。
【０００９】
それにもかかわらず、ＶＦは、リスクがあると見なされていない人であっても前触れもなく発生し得る。このため、ＩＣＤ治療の恩恵を受けていない多くの人が、ＶＦに見舞われる可能性がある。ＶＦがＩＣＤを付けていない人に発生する場合、血流が止まることにより、倒れる。その人達は、直ちに治療を受けなければならない。
【００１０】
ＩＣＤを付けていないＶＦ被害者に対し、体外除細動器と呼ばれる、異なるタイプの除細動器を使用することができる。体外除細動器は、携帯用に作られているので、潜在的ＶＦ被害者を蘇生するのに十分素早く体外除細動器を運び込むことができる。
【００１１】
ＶＦ中、血液が脳、心臓、肺、および他の臓器に流れないことにより、その人の病気が悪化する。血流は、蘇生の試みがうまくいけば、元に戻るはずである。
【００１２】
心肺機能蘇生法（ＣＰＲ）は、心停止に見舞われた人に強制的に血流を起こす１つの方法である。さらに、ＣＰＲは、心静止および無脈性電気活動（ＰＥＡ）などの、ＶＦではないある種の心停止状態の一部の患者に対して主に推奨される処置である。ＣＰＲは、強制的に血液を循環させる胸部圧迫および強制的に呼吸させる人工呼吸を含む、技術を組み合わせたものである。
【００１３】
適切に施されたＣＰＲは、心停止した人の危険な状態の臓器に酸素化血液を与え、それによって、施されない場合に発生したであろう悪化を最小限にする。このため、ＣＰＲは、除細動器が復活する間、施されない場合に発生したであろう悪化を遅らせるので、ＶＦに見舞われた人に有用である。実際に、心臓が停止しそうな患者に対し、除細動の前にＣＰＲが施される場合、生存率が高くなる。
【００１４】
進歩した医療装置は、実際に、ＣＰＲを行う救命員に指導することができる。例えば、医療装置は、命令、さらにプロンプトを出して、救命員がＣＰＲをより効率的に行うようにすることができる。
【発明の概要】
【００１５】
本明細書では、医療装置、ソフトウェアおよび方法の例を挙げ、その使用は、先行技術の問題および限界を克服するのに役立つことができる。
【００１６】
いくつかの実施形態において、ハウジングを有する送信体外除細動器は、蘇生イベントデータを受信体外除細動器に送信できる。例えば、送信体外除細動器のバンプセンサ(bump sensor)は、ハウジングの動き情報（motion information）を生成でき、そしてバンプ検出器は、生成された動き情報に基づいてハウジングがローカルバンプイベントに従っているかどうかを判断できる。ローカルバンプイベントが発生したという判断に応答して、送信体外除細動器のプロセッサは、体外除細動器の通信モジュールが無線通信リンクを確立するようにさせることができる。ひとたび通信リンクが確立されると、送信体外除細動器は、通信リンクを介して蘇生イベントデータを受信体外除細動器にワイヤレスで送信できる。
【００１７】
先行技術の利点は、蘇生イベントデータを第１の体外除細動器から第２の体外除細動器に素早く、簡単に、そして安全に転送できることである。このようなデータ転送を、例えば、ユーザが、一方の装置にプラグを差し込むことによって装置間の接続を物理的に確立する必要があるのとは無関係に行うことができる。実際、ある実施形態は、最終的にデータ転送を起こさせるプロセスを開始するローカルバンプイベントのみを使用する。本明細書で使用されるように、バンプイベントは、一般に、ユーザが、体外除細動器のうちの１つが他の体外除細動器に物理的にバンプするようにさせることを指す。
【００１８】
本明細書のこれらと他の特徴および利点は、図面を参照しながら進む以下の発明を実施するための形態からさらに容易に明らかになるであろう。
【図面の簡単な説明】
【００１９】
【図１】実施形態に従って、体外除細動器を使用して人の命を救う場面の図である。
【図２】図１に示した体外除細動器の主要な２のタイプ、およびそれを使用し得る人を記載した表の図である。
【図３】実施形態に従って作成された、図１に示したような体外除細動器のコンポーネントを示す機能ブロック図である。
【図４Ａ】実施形態に従って、互いにバンプされる前の、２つの体外除細動器を示す図である。
【図４Ｂ】実施形態に従って、互いにバンプされる図４Ａの２つの体外除細動器を示す図である。
【図４Ｃ】実施形態に従って、互いにバンプされた後に通信リンクを確立する図４Ｂの２つの体外除細動器を示す図である。
【図５】実施形態に従って、互いにバンプされるとすぐにイベントデータの受信を開始する体外除細動器のコンポーネントを示すブロック図である。
【図６】実施形態に従って、体外除細動器によって実行可能な例示的方法を示す流れ図である。
【図７】実施形態に従って、体外除細動器によって実行可能な例示的方法を示す流れ図である。
【図８】実施形態に従って、互いにバンプされるとすぐにイベントデータの送信を開始する体外除細動器のコンポーネントを示すブロック図である。
【図９】実施形態に従って、体外除細動器によって実行可能な例示的方法を示す流れ図である。
【図１０】実施形態に従って、体外除細動器によって実行可能な例示的方法を示す流れ図である。
【図１１】実施形態に従って、体外除細動器および除細動器モニタを含む、イベントデータを転送するためのシステムを示すブロック図である。
【発明を実施するための形態】
【００２０】
図１は、除細動場面の図である。人８２は、仰向けに横たわっている。人８２は、病院の患者か、または意識不明で見つかり、その後仰向けにされた人と考えられる。人８２は、心臓の病気に見舞われており、心室細動（ＶＦ）の可能性がある。
【００２１】
携帯用体外除細動器１００は、人８２の傍に運び込まれている。少なくとも２つの除細動電極１０４、１０８は、通常、体外除細動器１００に備わっていて、電極１０４、１０８と呼ばれることもある。電極１０４、１０８は、それぞれの電極リード線１０５、１０９を経由して体外除細動器１００に結合されている。救命員（図示せず）が電極１０４、１０８を人８２の皮膚に貼り付けている。
【００２２】
除細動器１００は、電極１０４、１０８によって人８２の体内に短く、強い電気パルス１１１を施す。パルス１１１は、除細動ショックとしても知られ、心臓８５の中にも達し、人８２の命を救うために心臓を再始動しようとする。
【００２３】
除細動器１００を異なるタイプのうちの１つにして、各タイプが機能および能力の異なるセットを有することができる。除細動器１００の機能のセットは、誰がそれを使用するか、およびどんな訓練が行い易いかを計画することによって判断される。これより例を説明する。
【００２４】
図２は、体外除細動器の主要な２のタイプ、および主にそれを使用することを目的とする人を記載した表である。除細動器１００の第１のタイプは、典型的には、患者のモニタと組み合わせた単一ユニットとして形成されるので、一般に、除細動器モニタと呼ばれる。除細動器モニタは、モニタ除細動器とも呼ばれる。除細動器モニタは、医師、看護師、救急医療隊員、救命士などの、医療専門家達によって使用されることを目的としている。このような除細動器モニタは、入院前または入院中の状況において使用されることを目的としている。
【００２５】
除細動器としては、その装置を異なる種類のうちの１つにすることができるか、あるいはそれらの種類に個々に対応する異なるモードに切り替えるのに十分な用途に広げることができる。１つの種類は、自動式除細動器であって、ショックが必要であるかどうかを判断して、必要であれば、所定のエネルギーレベルまで充電し、そしてユーザに命令してショックを施すようにさせることができる。別の種類は、手動式除細動器であって、ユーザが、ショックが必要かを判断して、ショックの施行を制御する。
【００２６】
患者モニタとしては、その装置は、単なる除細動器としての動作に最小限必要なこと以外にも機能を有する。その機能は、救急状況における人の生理的な指標を監視することを可能にする。このような生理的な指標は、典型的には、信号として監視される。例えば、このような信号は、人の全ＥＣＧ（心電図）信号、または２つの電極間のインピーダンスを含むことができる。さらに、このような信号は、人の体温、非侵襲性血圧（ＮＩＢＰ）、動脈血酸素飽和度／パルス酸素濃度計（ＳｐＯ２）、カプノグラフとしても知られる、呼気中の二酸化炭素濃度または二酸化炭素分圧などに対して可能である。このような信号を患者のデータとしてさらに記憶および／または送信することができる。
【００２７】
体外除細動器１００の第２のタイプは、「自動体外式除細動器」の略で、一般に、ＡＥＤと呼ばれる。ＡＥＤは、典型的には、ショックを与える／ショックを与えない判断を自ら自動的に行う。実際、図１に示した除細動電極１０４、１０８のみによって人８２の生理的状態を十分感知することができる。本実施形態において、ＡＥＤは、ショックを自動的に施すか、またはユーザに命令して、例えば、ボタンを押すことによってそれを行うようにさせることができる。かなり単純な構造であることから、ＡＥＤは、典型的には、除細動器モニタよりも大幅に安い。このため、病院が、例えば、より高価な除細動器モニタが、集中治療室などに配備されることが不可欠である場合に、個々の階でＡＥＤを配備するのは道理にかなっている。
【００２８】
しかしながら、ＡＥＤは、医療専門家ではない人達によって使用されることもあり得る。より詳細には、ＡＥＤは、警察官、消防士などの、職業上の多くの初期対応者によって使用され得る。救急訓練しか受けていない人でもＡＥＤを使用する可能性がある。そしてＡＥＤは、それを使用する人が誰であろうと命令を増大することができる。
【００２９】
従ってＡＥＤは、人がＶＦを患っている時に素早く対応することが不可欠であるため、特に役立つ。実際、ＶＦ患者に最初に対応する人達は、医療専門家ではないかもしれない。
【００３０】
関心の高まりの結果、ＡＥＤが公共の場または半公共の場で配備されるようになり、一般市民でも、救急およびＣＰＲ／ＡＥＤ訓練を自主的に受けていれば、ＡＥＤを使用することができる。このようにして、ＶＦが発症してすぐに除細動を施すことができ、恐らくその患者(person)を救助するのに効果的であろう。
【００３１】
体外除細動器のこれらおよび付加的なタイプは、図２に記載されていない。例えば、ハイブリッド除細動器は、ＡＥＤの態様を有することができるし、除細動器モニタの態様も有することができる。このような態様は通常、付加的なＥＣＧモニタリング機能である。
【００３２】
図３は、実施形態に従って作成された体外除細動器３００のコンポーネントを示す図である。これらのコンポーネントを、例えば、図１の体外除細動器１００内にあるものとすることができる。その上、このような図３のコンポーネントを、別名、ケージング３０１という、ハウジング３０１内に備えることができる。
【００３３】
体外除細動器３００は、救命員になるであろう、ユーザ３８０によって使用されることを目的としている。除細動器３００は、典型的には、ハウジング３０１内のソケットなどの、除細動ポート３１０を含む。除細動ポート３１０は、ノード３１４、３１８を含む。除細動電極３０４、３０８は、電極１０４、１０８と同様にすることができ、それぞれをノード３１４、３１８と電気的に接続するために、除細動ポート３１０にプラグで接続することができる。電極を除細動ポート３１０などに継続的に接続することも可能である。いずれにしても、除細動ポート３１０を、電極経由で除細動器３００内に蓄えられている電荷を人８２まで誘導するのに使用することができ、後で本明細書に示す。
【００３４】
図２を参照して説明したように、除細動器３００が、実際には除細動器モニタである場合、その除細動器は、典型的には、ＥＣＧリード線３０９にプラグで接続するために、ハウジング３０１内にＥＣＧポート３１９も有する。ＥＣＧリード線３０９は、例えば、１２リード線信号、または異なる数のリード線による、ＥＣＧ信号を感知するのに役立つことができる。さらに、除細動器モニタは、付加的なポート（図示せず）、および患者信号などの、上記の付加的な機能に対する他のコンポーネント３２５を有し得る。
【００３５】
除細動器３００は、測定回路３２０も含む。測定回路３２０は、ＥＣＧポート３１９から生理的信号を受信し、そして、もしあれば、他のポートからも受信する。この生理的信号は感知され、そして生理的信号に関する情報は、回路３２０によってデータ、あるいは信号などとしてレンダリングされる。
【００３６】
除細動器３００が、実際、ＡＥＤである場合、その除細動器は、ＥＣＧポート３１９を持たない場合がある。除細動電極３０４、３０８が人８２に貼り付けられている場合、測定回路３２０は、ポートの代わりにノード３１４、３１８を介して生理的信号を受けることができる。このような場合、人のＥＣＧ信号を、電極３０４、３０８間の電圧差として感知することができる。その上、電極３０４、３０８間のインピーダンスは、特に、これらの電極３０４、３０８が不注意に人から外されているかどうかを検出するために感知されることができる。
【００３７】
除細動器３００は、プロセッサ３３０も含む。プロセッサ３３０は、さまざまな方法で実装されてよい。その方法は、例として、マイクロプロセッサおよびデジタル信号プロセッサ（ＤＳＰ）などの、デジタルおよび／またはアナログプロセッサと、マイクロコントローラなどのコントローラと、マシン内で稼動するソフトウェアと、現場でプログラム可能なゲートアレイ（ＦＰＧＡ）、現場でプログラム可能なアナログアレイ（ＦＰＡＡ）、プログラム可能な論理装置（ＰＬＤ）、特定用途向け集積回路（ＡＳＩＣ）などの、プログラマブル回路と、これらのうちの１または複数の任意の組み合わせなどを含むが、これらに限定されない。
【００３８】
プロセッサ３３０は、いくつかのモジュールを有するものと見なすことができる。このような１つのモジュールは、測定回路３２０の出力を感知する、検出モジュール３２２にすることができる。検出モジュール３２２は、ＶＦ検出器を含むことができる。従って、人を感知するＥＣＧを使用して、その人がＶＦに見舞われているかどうかを判断することができる。
【００３９】
プロセッサ３３０内のこのような別のモジュールは、検出モジュール３２２の出力に基づくアドバイスに従って届く、アドバイスモジュール３３４にすることができる。アドバイスモジュール３３４は、ショック助言アルゴリズム(Shock Advisory Algorithm)を含み、決定ルールなどを実装することができる。そのアドバイスは、ショックを与える、ショックを与えない、他の治療法を施すなどにすることができる。アドバイスが、ショックを与えることである場合、体外除細動器のいくつかの実施形態は、単にそのことをユーザに報告し、そしてユーザに促してそれを行わせる。他の実施形態はさらに、ショックを施すアドバイスを実行する。アドバイスがＣＰＲを施すことである場合、除細動器３００はさらに、それに対するプロンプトを出すなどができる。
【００４０】
プロセッサ３３０は、モジュール３３６などの、他の機能に対する付加的なモジュールを含むことができる。さらに、他のコンポーネント３２５が実際に与えられると、そのコンポーネントは、一部はプロセッサ３３０などによって操作され得る。
【００４１】
除細動器３００は、選択的に、プロセッサ３３０と共に機能することができる、メモリ３３８をさらに含む。メモリ３３８は、さまざまな方法で実装されてよい。その方法は、例として、不揮発性メモリ（ＮＶＭ）、リードオンリーメモリ（ＲＯＭ）、ランダムアクセスメモリ（ＲＡＭ）、これらの任意の組み合わせなどを含むが、これらに限定されない。メモリ３３８は、もしあれば、プロセッサ３３０のプログラムなどを含むことができる。プログラムは、プロセッサ３３０の固有の要求に動作可能にすることができ、そしてプロトコルおよびアドバイスモジュール３３４によって行われ得る決定方法を含むこともできる。さらに、メモリ３３８は、ユーザ３８０に対するプロンプトなどを記憶することができる。さらに、メモリ３３８は、患者データを記憶することができる。
【００４２】
除細動器３００は、電源３４０を含むこともできる。除細動器３００の可搬性を実現するために、電源３４０は、典型的には電池を含む。そのような電池は、典型的には、電池パックとして実装され、充電式か否かを問わない。時には、充電式電池パックと非充電式電池パックとを組み合わせて使用される。電源３４０の他の実施形態は、ＡＣ電力が使用できる場合にＡＣ電力オーバーライドなどを含むことができる。いくつかの実施形態において、電源３４０は、プロセッサ３３０によって制御される。
【００４３】
除細動器３００は、付加的には、エネルギー貯蔵モジュール３５０を含む。モジュール３５０は、ある程度の電気エネルギーをどこでも蓄え、突然放電してショックを施すためにいつでも準備する。モジュール３５０は、プロセッサ３３０によって制御されながら、電源３４０から適したエネルギー量に充電されることができる。典型的な実装において、モジュール３５０は、１または複数のキャパシタ３５２などを含む。
【００４４】
除細動器３００はさらに、放電回路３５５を含む。放電回路３５５を制御して、モジュール３５０に蓄えられたエネルギーがノード３１４、３１８に放電される、従って、除細動電極３０４、３０８にも放電されることを可能にすることができる。放電回路３５５は、１または複数のスイッチ３５７を含むことができる。それらのスイッチを、Ｈブリッジ回路などの、いくつかの方法によって作成することができる。
【００４５】
除細動器３００はさらに、ユーザ３８０のユーザインタフェース３７０を含む。ユーザインタフェース３７０をさまざまな方法で作成することができる。例えば、ユーザインタフェース３７０は、検出されて測定されるものを表示するスクリーンを含み、救命員が蘇生を試みるための視覚フィードバックなどを提供できる。ユーザインタフェース３７０は、音声プロンプトなどを出す、スピーカを含むこともできる。ユーザインタフェース３７０は、付加的には、プッシュボタン、キーボードなどの、さまざまな制御装置を含むことができる。さらに、放電回路３５５を、プロセッサ３３０によって、またはユーザインタフェース３７０経由で直接ユーザ３８０によってなどで制御することができる。
【００４６】
除細動器３００は、選択的に、他のコンポーネントを含むことができる。例えば、通信モジュール３９０を、他のマシンと通信するために提供できる。そのような通信を、無線、または有線経由で、または赤外線通信などによって行うことができる。このようにして、患者データ、事故情報、試される治療、ＣＰＲ実技などの、データを伝送することができる。
【００４７】
図４Ａから図４Ｃは、実施形態に従って、図３の体外除細動器３００などの、第１の体外除細動器４０１と第２の体外除細動器との間のインタラクションを示す。
【００４８】
図４Ａは、実施形態に従って、２つの体外除細動器４０１と４０２とがバンプされる前の状態を示した図である。２つの体外除細動器４０１と４０２とは、矢印４０３で示すように互いに接近する場合がある。例えば、ユーザは、第１の体外除細動器４０１を第２の体外除細動器４０２の方向に移動する場合がある。代替的または付加的には、ユーザまたは別のユーザは、第２の体外除細動器４０２を第１の体外除細動器４０１の方向に移動する場合がある。
【００４９】
図４Ｂは、実施形態に従って、図４Ａの２つの体外除細動器４０１と４０２とがバンプされる状態を示した図である。例えば、ユーザは、２つの装置間で物理的接触が生じるまで、第１の体外除細動器４０１を第２の体外除細動器４０２の方向に移動する場合がある。代替的または付加的には、ユーザまたは別のユーザは、２つの装置が互いに物理的に接触するまで、第２の体外除細動器４０２を第１の体外除細動器４０１の方向に移動する場合がある。
【００５０】
図４Ｃは、実施形態に従って、図４Ｂの２つの体外除細動器４０１と４０２とがバンプされた後に、通信リンク（「コムリンク」）４０４を確立することを示した図である。コムリンク４０４は、図で示すように、双方向性を有する。ある実施形態において、第２の体外除細動器４０２はその後、４０５で示すように、データ信号を第１の体外除細動器４０１に送信できる。コムリンク４０４は、無線であってよく、その結果として、データ信号送信４０５も無線になり得る。データ信号は、イベントデータを符号化でき、そのデータは、第１の体外除細動器４０１が、第２の体外除細動器４０２からデータ信号を受信した後に復号され得る。
【００５１】
図５は、実施形態に従って、バンプされるとイベントデータの受信を開始する、図４Ａから図４Ｃの第１の体外除細動器４０１などの、受信体外除細動器５０１のコンポーネントを示すブロック図である。ある実施形態において、受信体外除細動器５０１は、受信体外除細動器５０１と区別されている送信体外除細動器５０２から蘇生イベントデータを受信する。
【００５２】
受信体外除細動器５０１は、第１のハウジング５１１と、第１のハウジング５１１の内部にあって第１の電荷５５３を蓄えるための第１のエネルギー貯蓄モジュール５５１と、電極経由で第１の電荷５５３を人まで誘導するための第１の除細動ポート（図示せず）と、第１の無線通信モジュール５９１とを含む。
【００５３】
送信体外除細動器５０２は、第２のハウジング５１２と、第２のハウジング５１２内にあって第２の電荷５５４を蓄えるための第２のエネルギー貯蓄モジュール５５２と、電極経由で第２の電荷５５４を人まで誘導するための第２の除細動ポート（図示せず）と、第２の無線通信モジュール５９２とを含む。
【００５４】
受信体外除細動器５０１は、第１のハウジング５１１の内部にあって第１のハウジング５１１の動き情報を生成するためのバンプセンサ５４５と、第１のハウジング５１１の受信体外除細動器５０１が、作成された動き情報に基づくローカルバンプイベントに従っているかどうかを判断するように構成されるバンプ検出器５４１とを含む。ある実施形態において、ローカルバンプイベントは、動き情報が、現在の閾値よりも大きい値を有する減速イベントとして解釈される場合に発生したと判断する。送信体外除細動器５０２は、選択的に、第２のハウジング５１２の内部にバンプセンサ５４６、およびバンプ検出器５４２を含むことができる。
【００５５】
受信体外除細動器５０１は、ローカルバンプイベントが発生したという判断に応答して、第１の通信モジュール５９１が、第２の通信モジュール５９２との無線通信リンク５０４を確立するようにさせるように構成されたプロセッサ５３１と、無線通信リンク５０４を介して第２の通信モジュール５９２によって送信されるデータ信号を無線で受信するようにさらに適応された第１の通信モジュール５９１と、送信体外除細動器５０２に記憶された、第２の電荷５５４が人まで誘導された時のデータ信号符号化イベントデータとを含む。ある実施形態において、受信体外除細動器５０１は、そのイベントデータ信号から受信されて復号された後に蘇生イベントデータを記憶するように適応されたメモリ５３８も含む。
【００５６】
受信体外除細動器５０１は、選択的に、ユーザインタフェース５７１を含むことができる。そのような実施形態において、確認要求は、ローカルバンプイベントが発生したという判断に応答して、ユーザインタフェース５７１経由で出力されることができる。さらに、無線通信リンク５０４は、確認要求に応答してユーザがユーザ確認を受信することに応答して確立されることができる。
【００５７】
ある実施形態において、無線通信リンク５０４の確立は、第１の通信モジュール５９１が準備信号を送信するようにさせることを含み、そして準備信号の受信に応答して、データ信号が第２の通信モジュール５９２によって送信される。準備信号は、例えば、受信体外除細動器５０１に関する識別情報を伝送できる。
【００５８】
ある実施形態において、無線通信リンク５０４の確立は、送信体外除細動器５０２によって生成された可用性信号(availability signal)を受信することを含む。可用性信号は、例えば、送信体外除細動器５０２に関する識別情報を伝送できる。
【００５９】
ある実施形態において、無線通信リンク５０４の確立は、ローカルバンプイベントも送信体外除細動器５０２に関与したというバンプ確認を確立することを含み、そしてデータ信号は、ローカルバンプ確認が確立された場合のみに受信される。このような実施形態のうちのいくつかにおいて、無線通信リンク５０４の確立は、第１の通信モジュール５９１が準備信号を送信するようにさせることをさらに含む。準備信号は、ローカルバンプイベントの時間の後のプリセット時間遅延か、またはローカルバンプイベントの後のプリセット時間内のランダム時間遅延のいずれかで出力され得る。準備信号は、ローカルバンプイベントの発生と関連付けられた時間表示を符号化できる。
【００６０】
ある実施形態において、無線通信リンク５０４の確立は、送信体外除細動器５０２によって生成された可用性信号を受信することをさらに含み、送信体外除細動器５０２のリモートバンプイベントの時間は、可用性信号によって判断され、そしてバンプ確認は、リモートバンプイベントの時間とローカルバンプイベントの時間とを比較することによって確立される。時間比較に関し、可用性信号は、リモートバンプイベントの時間の後のプリセット時間遅延を用いた推定出力であってよい。可用性信号は、リモートバンプイベントの時間表示を符号化できる。
【００６１】
受信体外除細動器５０１は、選択的に、第１の全地球測位システム（ＧＰＳ）ユニット５９３を含むことができる。第１のＧＰＳユニット５９３は、受信体外除細動器５０１に対応する第１のＧＰＳ座標を判断するように構成され得る。ある実施形態において、送信体外除細動器５０２は、送信体外除細動器５０２に対応する第２のＧＰＳ座標を判断するように構成された第２のＧＰＳユニット５９４を有する。このような実施形態において、無線通信リンク５０４は、２つの装置が、第１のＧＰＳ座標と第２のＧＰＳ座標とを比較することによって判断される時に互いに一定の距離内に入らない限り確立されない。その判断は、ＧＰＳユニット５９３およびＧＰＳユニット５９４の各タイプによる誤差の範囲を考慮に入れてよい。
【００６２】
図８は、実施形態に従って、バンプされた後にイベントデータの送信を開始する、図４Ａから図４Ｃの第２の体外除細動器４０２などの、送信体外除細動器８０２のコンポーネントを示すブロック図である。ある実施形態において、送信体外除細動器８０２は、送信体外除細動器８０２と区別されている受信体外除細動器８０１に蘇生イベントデータを送信する。
【００６３】
受信体外除細動器８０１は、第１のハウジング８１１と、第１のハウジング８１１内にあって第１の電荷８５３を蓄えるための第１のエネルギー貯蓄モジュール８５１と、電極経由で第１の電荷８５３を人まで誘導するための第１の除細動ポート（図示せず）と、第１の無線通信モジュール８９１とを含む。ある実施形態において、受信体外除細動器８０１は、受信体外除細動器８０１に対応する第１のＧＰＳ座標を判断するように構成された第１のＧＰＳユニット８９３も含む。
【００６４】
送信体外除細動器８０２は、第２のハウジング８１２と、第２のハウジング８１２内にあって第２の電荷８５４を蓄えるための第２のエネルギー貯蓄モジュール８５２と、電極経由で第２の電荷８５４を人まで誘導するための第２の除細動ポート（図示せず）と、第２の無線通信モジュール８９２とを含む。
【００６５】
送信体外除細動器８０２はさらに、第２のハウジング８１２の内部にあって第２のハウジング８１２の動き情報を生成するためのバンプセンサ８４６と、第２のハウジング８１２の送信体外除細動器８０２が、作成された動き情報に基づくローカルバンプイベントに従っているかどうかを判断するように構成されたバンプ検出器８４２とを含む。ある実施形態において、ローカルバンプイベントは、動き情報が、現在の閾値よりも大きい値を有する減速イベントとして解釈される場合に発生したと判断する。受信体外除細動器８０１は、選択的に、第１のハウジング８１１の内部にバンプセンサ８４８、およびバンプ検出器８４１を含むことができる。
【００６６】
送信体外除細動器８０２は、ローカルバンプイベントが発生したという判断に応答して、第２の通信モジュール８９２が、第１の通信モジュール８９１との無線通信リンク８０４を確立するようにさせるように構成されたプロセッサ８３２と、無線通信リンク８０４を介して蘇生イベントデータを符号化するデータ信号を送信するようにさらに適応された第２の通信モジュール８９２とを含む。ある実施形態において、送信体外除細動器８０２は、第２の電荷８５４が人まで誘導された時に関するイベントデータを記憶するように適応されたメモリ８３９も含む。
【００６７】
送信体外除細動器８０２は、選択的に、ユーザインタフェース８７２を含むことができる。そのような実施形態において、確認要求は、ローカルバンプイベントが発生したという判断に応答して、ユーザインタフェース８７２経由で出力されることができる。さらに、無線通信リンク８０４は、確認要求に応答してユーザがユーザ確認を受信することに応答して確立されることができる。
【００６８】
ある実施形態において、無線通信リンク８０４の確立は、第２の通信モジュール８９２が可用性信号を送信するようにさせることを含み、そして可用性信号を受信する第１の通信モジュール８９１に応答して、データ信号が第２の通信モジュール８９２によって送信される。ある実施形態において、可用性信号は、送信体外除細動器８０２に関する識別情報を伝送する。
【００６９】
ある実施形態において、無線通信リンク８０４の確立は、例えば、受信体外除細動器８０１によって生成された準備信号を受信することを含む。準備信号は、例えば、受信体外除細動器８０１に関する識別情報を伝送できる。
【００７０】
ある実施形態において、無線通信リンク８０４の確立は、ローカルバンプイベントも受信体外除細動器８０１に関与したというバンプ確認を確立することを含み、そしてデータ信号は、ローカルバンプ確認が確立された場合のみに受信される。このような実施形態のうちのいくつかにおいて、無線通信リンク８０４の確立は、第２の通信モジュール８９２が可用性信号を送信するようにさせることをさらに含む。可用性信号は、ローカルバンプイベントの時間の後のプリセット時間遅延か、またはローカルバンプイベントの後のプリセット時間内のランダム時間遅延のいずれかで出力され得る。可用性信号は、ローカルバンプイベントの発生と関連付けられた時間表示を符号化できる。
【００７１】
ある実施形態において、無線通信リンク８０４の確立は、受信体外除細動器８０１によって生成された準備信号を受信することをさらに含み、受信体外除細動器８０１のリモートバンプイベントの時間は、準備信号によって判断され、そしてバンプ確認は、リモートバンプイベントの時間とローカルバンプイベントの時間とを比較することによって確立される。時間比較に関し、準備信号は、リモートバンプイベントの時間の後のプリセット時間遅延を用いた推定出力であってよい。準備信号は、リモートバンプイベントの時間表示を符号化できる。
【００７２】
送信体外除細動器８０２は、選択的に、第２のＧＰＳユニット８９３を含むことができる。第２のＧＰＳユニット８９３は、送信体外除細動器８０２に対応する第２のＧＰＳ座標を判断するように構成され得る。ある実施形態において、送信体外除細動器８０２は、送信体外除細動器８０２に対応する第２のＧＰＳ座標を判断するように構成された第２のＧＰＳユニット８９４を有する。このような実施形態において、無線通信リンク８０４は、２つの装置が、第１のＧＰＳ座標と第２のＧＰＳ座標とを比較することによって判断される時に互いに一定の距離内に入らない限り確立されない。その判断は、ＧＰＳユニット８９３およびＧＰＳユニット８９４の各タイプによる誤差の範囲を考慮に入れてよい。
【００７３】
図１１は、実施形態に従って、体外除細動器１１０２および除細動器モニタ１１０１を含む、イベントデータを転送するためのシステムを示すブロック図である。体外除細動器１１０２は、自動体外式除細動器（ＡＥＤ）であることが多い。ある実施形態において、ユーザは、例えば、人に関連する蘇生イベントデータなどの、データ転送を、体外除細動器１１０２と除細動器モニタ１１０１との間で、体外除細動器１１０２を除細動器モニタ１１０１にバンプさせることによって引き起こすことができる。
【００７４】
ある実施形態において、例えば、データ信号符号化蘇生イベントデータを、除細動器モニタ１１０１から直接他の外部装置１１０８転送するか、またはインターネットなどの通信ネットワーク１１１０経由で処理センターなどのリモート装置１１１２に転送できる。他の外部装置１１０８も、通信ネットワーク１１１０経由でリモート装置１１１２または図示されていない他の装置と通信できる。
【００７５】
本明細書の機能は、論理回路を含む１または複数の装置によって実装され得る。その装置は、本明細書で説明されるような機能および／または方法を実行する。論理回路は、マイクロコントローラ、マイクロプロセッサ、デジタル信号プロセッサ（ＤＳＰ）などの、汎用または専用のプロセッサにプログラム可能であるプロセッサを含むことができる。例えば、その装置は、コンピュータに記憶されたコンピュータプログラムによって選択的に起動または再構成される汎用コンピュータなどの、デジタルコンピュータのような装置であってよい。代替として、その装置は、特定用途向け集積回路（ＡＳＩＣ）などによって実装されてもよい。
【００７６】
さらに、方法を以下に説明する。本明細書で示す方法およびアルゴリズムは、具体的なコンピュータまたは他の装置と必ずしも本質的に関連付けられるわけではない。むしろ、さまざまな汎用マシンは、本明細書の技術に従うプログラムを用いて使用され得るし、または必要とされる方法ステップを実行するためにさらに特化した装置を構成するのにより便利であることを証明できる。このようなさまざまなマシンに必要とされる構造は、本明細書によってより明らかになるであろう。
【００７７】
すべての事例において、本明細書の方法とコンピューティングマシンを操作する方法との区別に留意しなければならない。本明細書は、一般的な方法と、コンピュータを操作するステップおよび他の望ましい物理的信号を生成するために電気信号または他の物理的信号を処理するステップとの両方に関する。
【００７８】
プログラムは、付加的には、プログラムの操作方法として、本明細書に含まれる。プログラムは、一般に、その特性およびシーケンスに起因して、望ましい結果を導くステップのグループとして定義される。プログラムは、通常、汎用コンピュータ、専用コンピュータ、マイクロプロセッサなどの、コンピューティングマシンのプログラムとして有利に実装される。
【００７９】
記憶媒体は、付加的には、本明細書に含まれる。このような記憶媒体は、本発明に従って作成されたプログラムの命令を個々に、または他の媒体と組み合わせて記憶している。本明細書に従った記憶媒体は、メモリなどのコンピュータ可読媒体であり、そして上述のコンピューティングマシンによって読み取られる。
【００８０】
プログラムのステップまたは命令の実行は、物理量の物理的操作を必要とする。通常、このような物理量は、必ずしも必要ではないが、転送され、組み合わされ、比較され得るし、あるいは命令に従って操作または処理され得るし、コンピュータ可読媒体に記憶されることもあり得る。このような物理量は、例えば、電気信号、磁気信号、および電磁信号を含み、そしてこのような信号によってクエリされる物理的状態(states of matter)も含む。主に共通に使用するという理由で、このような物質量をビット、データビット、サンプル、値、記号、文字、画像、用語、数字などと呼ぶことが時として便利である。しかしながら、このようなすべておよび同様の用語は、適切な物理量と関連付けられること、およびこのような用語は、このような物理量に、個々にまたはグループで適用される単に便利なラベルであることに留意しなければならない。
【００８１】
この詳細な説明は、大部分は、メモリなどの少なくとも１つのコンピュータ可読媒体内のデータビットの操作の流れ図、表示画像、アルゴリズム、および記号表現によって示される。実際には、このような記述および表現は、プログラミングおよび／またはデータ処理の当業者が、自分達の仕事の内容を他の当業者に効率的に伝達するために使用する便利なラベルのタイプである。プログラミングの当業者は、このような記述を使用して、本発明に従ってプログラムを実装する具体的な命令を容易に生成することができる。単に便宜目的で、プログラムを、さまざまに相互接続された個々のソフトウェアモジュール、またはソフトウェアとしても知られる機能を個々におよび集合的に実装および記述することが望ましいことが多い。これは、必ずしも必要ではないが、モジュールが不明瞭な境界を有する単一のプログラムに同等に集められる場合もあり得る。いずれにしても、本明細書のソフトウェアモジュールまたは機能は、それ自体によって、または他のものと組み合わせて実装されてよい。たとえプログラムをコンピュータ可読媒体に記憶できるとされていても、単一のメモリ、または単一のマシンにも必要ないことを当業者は理解されたい。そのさまざまな割り当て(portion)、モジュールまたは機能は、別個のメモリ、または別個のマシンにも常駐できる。別個のマシンは、直接接続されるか、あるいはローカルアクセスネットワーク（ＬＡＮ）などのネットワークまたはインターネットなどのグローバルネットワークを介して接続され得る。
【００８２】
このような方法の一部は、ソフトウェアアーキテクチャ全体の異なるモジュールによって実行され得るソフトウェアのステップを含むことができる。例えば、ルータで転送する(forward)データは、ローカルルーティングテーブルを調べるデータプレーンで実行され得る。性能データの収集も、データプレーンで実行され得る。性能データは、制御プレーンで処理されて、それに従って、近隣のルーティングテーブルに加えて、ローカルルーティングテーブルも更新できる。当業者は、どのステップがどのプレーンで最適に実行されるかが分かるであろう。
【００８３】
本明細書において流れ図の単一のセットを使用して、プログラムと方法との両方を説明することによって無駄が省かれる。従って、流れ図が囲み(box)によって説明されているが、その囲みは、方法とプログラムの両方を意味し得る。
【００８４】
本明細書に関し、方法は、マシン操作によって実装され得る。言い換えれば、プログラムの実施形態は、本明細書で説明される発明の方法を実行するようなやり方で行われる。このような実施形態は、選択的に、その一部を１または複数の人間オペレータと共に実行され得るが、すべてを実行するのではない。上記のとおり、ユーザは、互いに並置される必要はないが、各ユーザは唯一、プログラムの割り当てを格納するマシンと共に置かれる。代替として、このようなマシンの一部は、ユーザを必要とせずにおよび／または互いに独立して、自動的に動作できる。
【００８５】
これより方法を説明する。
【００８６】
図６は、実施形態に従った、体外除細動器によって実行可能な方法６００を示す流れ図である。動作６０４において、図５の受信体外除細動器５０１などの、受信体外除細動器６０１は、ローカルバンプイベントが発生したかどうかを判断する。ローカルバンプイベントが発生したという判断に応答して、方法６００は、動作６０４から進み、イベントが発生していない場合、動作６０４を繰り返す。ローカルバンプイベントが発生したという判断に応答して、受信体外除細動器６０１は、選択的に、動作６０６で示すように、ローカルバンプイベントの時間を記録できる。
【００８７】
ある実施形態において、図５の送信体外除細動器５０２などの、送信体外除細動器６０２も、動作６０５で示すように、ローカルバンプイベントが発生したかどうかを判断する。ローカルバンプイベントが発生したという判断に応答して、方法６００は、動作６０５から進み、イベントが発生していない場合、動作６０５を繰り返す。送信体外除細動器６０２がローカルバンプイベントが発生したと判断したことに応答して、送信体外除細動器６０２は、選択的に、動作６０７で示すように、ローカルバンプイベントの時間を記録できる。
【００８８】
選択的動作６０８において、受信体外除細動器６０１は、ユーザ確認要求が、受信体外除細動器６０１のユーザインタフェース（ＵＩ）に出力されるようにする。その後の選択的動作６１０において、ユーザインタフェースに出力されたユーザ確認要求に応答して、ユーザ確認がユーザによって受信されたかどうかについての判断が行われる。ユーザ確認が受信されたという判断に応答して、方法６００は、先に進む。受信されていない場合、方法６００は、動作６０４に戻る。
【００８９】
選択的動作６１１において、受信体外除細動器６０１は、送信体外除細動器６０２が一定の距離内に入っているかどうかを判断する。例えば、受信体外除細動器６０１の第１のＧＰＳユニットは、受信体外除細動器６０１に対応する第１のＧＰＳ座標を判断し、そしてその座標を、送信体外除細動器６０２に対応する第２のＧＰＳ座標と比較できる。ある実施形態において、送信体外除細動器６０２に対応する第２のＧＰＳ座標は、送信体外除細動器６０２の第２のＧＰＳユニットによって判断される。
【００９０】
送信体外除細動器６０２が一定の距離内に入っていないこと、例えば、第１のＧＰＳ座標と第２のＧＰＳ座標との比較に基づいて、送信体外除細動器６０２が所定の距離を越えているという判断に応答して、方法６００は、動作６０４に戻り、そして受信体外除細動器６０１は、メッセージまたは警告を送信体外除細動器６０２または他の装置に送信できる。一定の距離内に入っている場合、方法６００は、動作６１２に進む。
【００９１】
動作６１２において、受信体外除細動器６０１は、動作６１３で示すように、送信体外除細動器６０２と通信して、ローカルバンプイベントが発生したという判断に応答して、送信体外除細動器６０２との通信リンク（「コムリンク」）６１７を確立する。
【００９２】
６１４において、送信体外除細動器６０２は、通信リンク６１７が確立されたかどうかを判断できる。通信リンク６１７が確立されていない場合、方法６００は、動作６０５に戻る。動作６１６において、通信リンク６１７が確立されたという判断に応答して、送信体外除細動器６０２は、データ信号が、送信体外除細動器６０２から通信リンク６１７上に送信されるようにすることができる。
【００９３】
動作６１８において、受信体外除細動器６０１は、送信体外除細動器６０２から通信リンク６１７を介してデータ信号を受信する。ある実施形態において、データ信号は、送信体外除細動器６０２に記憶された蘇生イベントデータを符号化する。そのようなイベントデータは、いつ送信体外除細動器６０２に蓄えられた電荷が人まで誘導されたかなどに関する。
【００９４】
動作６２０において、受信体外除細動器６０１は、受信されたデータ信号から蘇生イベントデータを復号し、そして復号された蘇生イベントデータを受信体外除細動器６０１内に記憶する。例えば、受信体外除細動器６０１は、復号された蘇生イベントデータを受信体外除細動器６０１のメモリに記憶できる。
【００９５】
図７は、実施形態に従って、体外除細動器によって実行可能な方法７００を示す流れ図である。方法７００は、一般に、図６の受信体外除細動器６０１などの、受信体外除細動器７０１と、図６の送信体外除細動器６０２などの、送信体外除細動器７０２との間で通信リンク（「コムリンク」）を確立することに関連する。
【００９６】
選択的動作７０４において、受信体外除細動器７０１は、所定の時間遅延が経過したかどうかを判断する。所定の時間遅延が経過したという判断に応答して、方法７００は、動作７０４の先に進む。所定の時間遅延が経過していない場合、動作７０４を繰り返す。例えば、一定の時間量が経過していない場合、受信体外除細動器７０１は、受信体外除細動器７０１が、送信体外除細動器７０２からデータを受信する準備ができていないと判断しているかもしれない。
【００９７】
動作７０６において、送信体外除細動器７０２は、動作７０７で示すように、可用性信号が受信体外除細動器７０１に送信されるようにする。選択的動作７０４において、受信体外除細動器７０１は、可用性信号が送信体外除細動器７０２から受信されたかどうかを判断する。
【００９８】
動作７１０において、受信体外除細動器７０１は、動作７１１で示すように、準備信号が送信体外除細動器７０２に送信されるようにする。動作７１２において、送信体外除細動器７０２は、準備信号が受信体外除細動器７０１から受信されたかどうかを判断する。その後の動作７１４において、送信体外除細動器７０２は、準備信号が有効かどうかを判断する。動作７１６において、送信体外除細動器７０２は、動作７１７で示すように、準備信号が有効であるという判断に応答して、可用性信号が受信体外除細動器７０１に送信されるようにする。選択的動作７１８において、受信体外除細動器７０１は、可用性信号が送信体外除細動器７０２から受信されたかどうかを判断する。
【００９９】
動作７２０において、受信体外除細動器７０１は、動作７２１で示すように、送信体外除細動器７０２との通信リンク（「コムリンク」）が確立されるようにする。動作７２２において、送信体外除細動器７０２は、通信リンクが確立されたかどうかを判断する。通信リンクが確立されたという判断に応答して、方法７００は、動作７２２の先に進む。リンクが確立されていない場合、方法７００は、動作７１２に戻る。
【０１００】
選択的動作７２２において、受信体外除細動器７０１は、確立された通信リンクに応答して、動作７２３で示すように、確認信号が送信体外除細動器７０２に送信されるようにする。その後の動作７２４において、送信体外除細動器７０２は、受信体外除細動器７０１から確認信号を受信する。
【０１０１】
図９は、実施形態に従って、体外除細動器によって実行可能な方法９００を示す流れ図である。動作９０４において、図８の送信体外除細動器８０２などの、送信体外除細動器９０２は、蘇生イベントデータを送信体外除細動器９０２のメモリに記憶する。蘇生イベントデータは、送信体外除細動器９０２に蓄えられた電荷を、例えば、人に供給することに関連する場合がある。
【０１０２】
動作９０６において、送信体外除細動器９０２は、ローカルバンプイベントが発生したかどうかを判断する。ローカルバンプイベントが発生したという判断に応答して、方法９００は、動作９０６の先に進む。イベントが発生していない場合、動作９０６を繰り返す。ローカルバンプイベントが発生したという判断に応答して、送信体外除細動器９０２は、選択的に、動作９０８で示すように、ローカルバンプイベントの時間を記録できる。
【０１０３】
ある実施形態において、図８の受信体外除細動器８０１などの、受信体外除細動器９０１も、動作９０７で示すように、ローカルバンプイベントが発生したかどうかを判断する。ローカルバンプイベントが発生したという判断に応答して、方法９００は、動作９０７の先に進む。イベントが発生していない場合、動作９０７を繰り返す。受信体外除細動器９０１がローカルバンプイベントが発生したと判断したことに応答して、受信体外除細動器９０１は、選択的に、動作９０９で示すように、ローカルバンプイベントの時間を記録できる。
【０１０４】
動作９１４において、送信体外除細動器９０２は、動作９１５で示すように、ローカルバンプイベントが発生したという判断に応答して、受信体外除細動器９０１との通信リンクが確立されるようにする。
【０１０５】
その後の動作９１４において、データ信号が、通信リンク９１７を介して受信体外除細動器９０１に送信されるようにさせ、そのデータ信号は、蘇生イベントデータを含む。動作９１８において、受信体外除細動器９０１は、そのデータ信号を送信体外除細動器９０２から受信する。
【０１０６】
動作９１０において、受信体外除細動器９０１は、ユーザ確認要求が受信体外除細動器９０１のユーザインタフェースに出力されるようにする。動作９１２において、送信体外除細動器９０２は、ユーザ確認が受信されたかどうかを判断する。ユーザ確認要求がユーザインタフェースに出力されたことに応答したユーザからユーザ確認を受信したことに応答して、方法９００は、進む。受信しない場合、方法９００は、動作９０６に戻る。
【０１０７】
別の選択的動作９１３において、送信体外除細動器９０２は、受信体外除細動器９０１が一定の距離内に入っているかどうかを判断する。例えば、送信体外除細動器９０２のＧＰＳユニットは、送信体外除細動器９０２に対応するＧＰＳ座標を判断し、そしてその座標を、受信体外除細動器９０１に対応するＧＰＳ座標と比較できる。ある実施形態において、受信体外除細動器９０１に対応するＧＰＳ座標は、受信体外除細動器９０１ＧＰＳユニットによって判断される。
【０１０８】
受信体外除細動器９０１が一定の距離内に入っていないこと、例えば、２つの装置のＧＰＳ座標間の比較に基づいて、受信体外除細動器９０１が所定の距離を越えているという判断に応答して、方法９００は、動作９０６に戻り、そして送信体外除細動器９０２は、メッセージまたは警告を受信体外除細動器９０１または他の装置に送信できる。一定の距離内に入っている場合、方法９００は、動作９１４に進む。
【０１０９】
図１０は、実施形態に従って、体外除細動器によって実行可能な方法１０００を示す流れ図である。図１０に示した方法１０００は、一般に、図９の受信体外除細動器９０１などの、受信体外除細動器１００１と、図９の送信体外除細動器９０２などの、送信体外除細動器１００２との間で通信リンク（「コムリンク」）を確立することに関連する。
【０１１０】
選択的動作１００４において、送信体外除細動器１００２は、所定の時間遅延が経過したかどうかを判断する。所定の時間遅延が経過したという判断に応答して、方法１０００は、動作１００４の先に進む。所定の時間遅延が経過していない場合、動作１００４を繰り返す。
【０１１１】
動作１００６において、受信体外除細動器１００１は、動作１００７で示すように、準備信号が送信体外除細動器１００２に送信されるようにする。動作１００８において、送信体外除細動器１００２は、準備信号が受信体外除細動器１００１から受信されたかどうかを判断する。
【０１１２】
動作１０１０において、準備信号が受信体外除細動器１００１から受信されたという判断に応答して、送信体外除細動器１００２は、動作１０１１で示すように、可用性信号が受信体外除細動器１００１に送信されるようにする。
【０１１３】
動作１０１２において、受信体外除細動器１００１は、可用性信号が送信体外除細動器１００２から受信されたかどうかを判断する。その後の動作１０１４において、受信体外除細動器１００１は、可用性信号が有効かどうかを判断する。動作１０１６において、受信体外除細動器１００１は、動作１０１７で示すように、可用性信号が有効であるという判断に応答して、準備信号が送信体外除細動器１００２に送信されるようにする。
【０１１４】
選択的動作１０１８において、送信体外除細動器１００２は、準備信号が受信体外除細動器１００１から受信されたかどうかを判断する。その後の選択的動作１０２０において、送信体外除細動器１００２は、準備信号が有効かどうかを判断する。
【０１１５】
本明細書において、完全な理解を与えるために多くの詳細が記載されている。他方において、よく知られた特徴は、説明を不必要に曖昧にしないために、詳細に説明されていない。
【０１１６】
当業者は、全体として捉えられる本明細書の記載に鑑みれば、本発明を実施できるであろう。本明細書で開示された具体的な実施形態は、限定する意味で捉えられるべきではない。実際、本明細書で説明されるものは、多くのやり方に変更されてよいことが当業者には容易に明らかなはずである。そのようなやり方は、本明細書で説明されるものと同等のものを含むことができる。さらに、本発明は、他のシステムと組み合わせて実施されてもよい。
【０１１７】
以下の請求の範囲は、新規およびまだ明らかではないと見なされている要素、特徴、ステップ、および／または機能のある組み合わせおよび部分的組み合わせを定義する。他の組み合わせおよび部分的組み合わせに対する付加的な請求の範囲を、本明細書または関連する明細書に示すことができる。
【図１】
2013542814.tif 000003
【図２】
2013542814.tif 000004
【図３】
2013542814.tif 000005
【図４Ａ】
2013542814.tif 000006
【図４Ｂ】
2013542814.tif 000007
【図４Ｃ】
2013542814.tif 000008
【図５】
2013542814.tif 000009
【図６】
2013542814.tif 000010
【図７】
2013542814.tif 000011
【図８】
2013542814.tif 000012
【図９】
2013542814.tif 000013
【図１０】
2013542814.tif 000014
【図１１】
2013542814.tif 000015
【国際調査報告】
2013542814.tif 000016
2013542814.tif 000017
2013542814.tif 000018